(57)【要約】【課題】吸気口近傍にこぼした液体の膜が吸気口に張るのを防ぎ、本体内に液体を吸い込んでしまわないようにすること。【解決手段】吸気口１６近傍にこぼした液体が吸気口１６側に吸い寄せられても吸気口１６下方を垂直な仕切り壁２０としているため仕切り壁２０には液体の膜が張らず、仕切り壁２０の上に吸気口１６を設けているため液体と冷却ファン１５の間隔が狭まらず本体１１内に液体を吸い込んでしまわないようにすることができる。【選択図】図１
2011090983.tif 000002
【特許請求の範囲】
【請求項１】
本体の天面を形成するトッププレートと、前記トッププレート上に載置された被加熱物を誘導加熱する加熱コイルと、前記本体底面に設けられた吸気口と、前記吸気口から外気を導入し前記加熱コイルを含む前記本体内の部品を冷却する冷却ファンとを備え、前記本体底面の下方で前記吸気口の前方に設けられた前記底面に垂直な前壁と、前記吸気口の後ろ側に設けられた前記底面に垂直な後ろ壁と、前記前壁と前記後ろ壁の間に形成され前記吸気口の周囲に一方の開口部が臨むように形成されたダクトと、前記吸気口の下方に設けられ前記底面に垂直な仕切り壁とを有する吸気保護具を設けた誘導加熱調理器。
【請求項２】
仕切り壁は前壁から後方に延びて途中で分岐したＹ字形状とした請求項１に記載の誘導加熱調理器。
【請求項３】
ダクトは吸気口と反対側に複数の外側開口部を設け、前記外側開口部を複数の位置に配置した請求項１または２に記載の誘導加熱調理器。
【請求項４】
ダクトは吸気口の周囲に臨む開口部と外側開口部との間に第３の開口部を設けた請求項１〜３のいずれか１項に記載の誘導加熱調理器。
【請求項５】
本体底面で本体を支持する脚がダクトの外側開口部近傍に配置された請求項１〜４のいずれか１項に記載の誘導加熱調理器。
【発明の詳細な説明】
【技術分野】
【０００１】
本発明は、本体底面に吸気保護具を有した誘導加熱調理器に関するものである。
【背景技術】
【０００２】
従来、この種の誘導加熱調理器としては、設置面に敷かれた敷物が吸気孔に張り付いて吸気できなくなるのを防ぐため、本体内に取り付けた冷却ファンを囲う籠体と、その側面から伸びた吸気保護具で吸気口を保護しているものがあった（例えば、特許文献１参照）。
【０００３】
その構成は図６〜図７に示すように、本体１の上方には被加熱物を据え置くためのトッププレート２が設けられ、トッププレート２の下部には被加熱物を電磁誘導によって加熱する誘導加熱コイル３が設けられている。誘導加熱コイル３は本体１内に設けた制御回路４によって駆動され、本体底面１ａには誘導加熱コイル３と制御回路４を冷却するための冷却ファン５が取り付けられている。また、本体底面１ａには冷却ファン５を囲い外気を導入するために籠体６ａと、籠体６ａの側面から伸びた吸気ガイド６ｂで形成された吸気保護具６が設けられている。籠体６ａは冷却ファン５に手などが触れないようにするため、格子状に形成されている。
【先行技術文献】
【特許文献】
【０００４】
【特許文献１】特開２００２−１００４６５号公報
【発明の概要】
【発明が解決しようとする課題】
【０００５】
しかしながら従来の構成では、吸気保護具６の近傍に水などの液体をこぼすと、液体が冷却ファン５に吸い寄せられて籠体６ａに付着し表面張力によって格子間に膜を張ってしまう。すると、液体と冷却ファン５の間隔が近づき、冷却ファン５の吸引力が強い場合には籠体６ａから液体を本体１内に吸い込んでしまうという課題を有していた。
【０００６】
本発明は、前記従来の課題を解決するもので、本体底面の下方で吸気口の前方に設けられた底面に垂直な前壁と、前記吸気口の後ろ側に設けられた前記底面に垂直な後ろ壁と、前記前壁と後ろ壁の間に形成され前記吸気口の周囲に一方の開口部が臨むように形成されたダクトと、前記吸気口の下方に設けられ前記底面に垂直な仕切り壁とを有する吸気保護具を設けたことによって、吸気口近傍にこぼした液体の膜が吸気口に張るのを防ぎ、本体内に液体を吸い込んでしまわないようにすることを目的とする。
【課題を解決するための手段】
【０００７】
前記従来の課題を解決するために、本体の天面を形成するトッププレートと、前記トッププレート上に載置された被加熱物を誘導加熱する加熱コイルと、前記本体底面に設けられた吸気口と、前記吸気口から外気を導入し前記加熱コイルを含む前記本体内の部品を冷却する冷却ファンとを備え、前記本体底面の下方で前記吸気口の前方に設けられた前記底面に垂直な前壁と、前記吸気口の後ろ側に設けられた前記底面に垂直な後ろ壁と、前記前壁と後ろ壁の間に形成され前記吸気口の周囲に一方の開口部が臨むように形成されたダクトと、前記吸気口の下方に設けられ前記底面に垂直な仕切り壁とを有する吸気保護具を設けたものである。
【０００８】
これによって、吸気口近傍にこぼした液体が吸気口側に吸い寄せられても吸気口下方は
垂直な仕切り壁としているため液体の膜が吸気口に張らず、液体と冷却ファンの間隔が狭まらず本体内に液体を吸い込んでしまわないようにすることができるものである。
【発明の効果】
【０００９】
本発明の誘導加熱調理器は、前記本体底面の下方で前記吸気口の前方に設けられた前記底面に垂直な前壁と、前記吸気口の後ろ側に設けられた前記底面に垂直な後ろ壁と、前記前壁と後ろ壁の間に形成され前記吸気口の周囲に一方の開口部が臨むように形成されたダクトと、前記吸気口の下方に設けられ前記底面に垂直な仕切り壁とを有する吸気保護具を設けたことで、吸気口近傍にこぼした液体が吸気口側に吸い寄せられても吸気口下方は垂直な仕切り壁としているため液体の膜が吸気口に張らず、液体と冷却ファンの間隔が狭まらず本体内に液体を吸い込んでしまわないようにすることができる。
【図面の簡単な説明】
【００１０】
【図１】本発明の実施の形態１における誘導加熱調理器の側面方向から見た断面図
【図２】同誘導加熱調理器の下面図
【図３】同誘導加熱調理器の正面方向から見た断面図
【図４】本発明の実施の形態２における誘導加熱調理器の下面図
【図５】本発明の実施の形態３における誘導加熱調理器の下面図
【図６】従来例における誘導加熱調理器の側面方向から見た断面図
【図７】同誘導加熱調理器の下面図
【発明を実施するための形態】
【００１１】
第１の発明は、本体底面の下方で吸気口の前方に設けられた底面に垂直な前壁と、前記吸気口の後ろ側に設けられた前記底面に垂直な後ろ壁と、前記前壁と前記後ろ壁の間に形成され前記吸気口の周囲に一方の開口部が臨むように形成されたダクトと、前記吸気口の下方に設けられ前記底面に垂直な仕切り壁とを有する吸気保護具を設けたことによって、吸気孔近傍にこぼした液体が吸気口側に吸い寄せられても吸気口下方は垂直な仕切り壁としているため液体の膜が張らず、液体と冷却ファンの間隔が狭まらず本体内に液体を吸い込んでしまわないようにすることができる。
【００１２】
第２の発明は、特に、第１の発明において、仕切り壁の形状を前壁から後方に延びて途中で分岐したＹ字形状としたことによって、前方あるいは後方から液体が吸気口下方に流れてきた時に吸気口下方の液面の上昇を抑え液面が吸気口に近づくのを防ぐことができる。
【００１３】
第３の発明は、特に、第１または第２の発明において、ダクトは吸気口と反対側に複数の外側開口部を設け、前記外側開口部を複数の位置に配置したことによって、敷物が吸い上げられた時にすべての外側開口部が同時に塞がれにくいようにすることができる。
【００１４】
第４の発明は、特に、第１〜第３のいずれか１つの発明において、吸気口の周囲に臨む開口部ともう一方の開口部との間に第３の開口部をダクトに設けたことによって、敷物が薄い場合でも第３の開口部に敷物が吸い付けられて仕切り壁の形状に沿いにくくなり、吸気口が塞がれることがないようにすることができるものである。
【００１５】
第５の発明は、特に、第１〜第４のいずれか１つの発明において、本体を支持する脚をダクトの外側開口部近傍に配置したもので、脚で敷物を押さえることによって敷物で外側開口部が塞がれるのを防ぐことができる。
【００１６】
以下、本発明の実施の形態について、図面を参照しながら説明する。なお、この実施の形態によって本発明が限定されるものではない。
【００１７】
（実施の形態１）
図１〜図３は、本発明の実施の形態１における誘導加熱調理器を示している。
【００１８】
図に示すように、本体１１の上方には被加熱物を据え置くためのトッププレート１２が設けられ、トッププレート１２の下部には被加熱物を電磁誘導によって加熱する誘導加熱コイル（加熱コイル）１３が設けられている。誘導加熱コイル１３は本体１１内に設けた制御回路１４によって駆動され、本体底面１１ａには誘導加熱コイル１３と制御回路１４を冷却するための冷却ファン１５が取り付けられている。また、本体底面１１ａには外気を冷却ファン１５に導入するための吸気口１６が設けられている。吸気口１６の外側には吸気保護具１７が設けられ、吸気保護具１７は吸気口１６の前方に設けられ本体底面１１ａに垂直な前壁１８と、吸気口１６の後方に設けられ本体底面１１ａに垂直な後ろ壁２２と、後ろ前壁１８と後ろ壁２２の間に形成されたダクト１９と、吸気口１６の下方に設けられ本体底面１１ａに垂直な仕切り壁２０で構成されている。ダクト１９には吸気口１６の周囲に臨む吸気口側開口部１９ａと、反対側に複数の外側開口部１９ｂが設けられ、外側開口部１９ｂは位置を変えて複数箇所に配置し、すべての外側開口部１９ｂが同時に塞がれてしまわないようにしてある。また、外側開口部１９ｂの近傍には本体１１を支える脚２１が配置されている。
【００１９】
以上のように構成された誘導加熱調理器について、以下その動作、作用を説明する。
【００２０】
まず、本体１１をテーブルなどの設置面上に設置し、トッププレート１２の上に被加熱物（鍋等）を置き通電する。すると、制御回路１４によって誘導加熱コイル１３が駆動され、電磁誘導によって被加熱物が加熱される。この時、誘導加熱コイル１３と制御回路１４を冷却するために冷却ファン１５が回転し、吸気口１６から外気を吸い込む。
【００２１】
本体１１の下に紙やビニールクロス等の敷物が敷かれていた場合には、冷却ファン１５が回転することで敷物が吸い上げられるが前壁１８、ダクト１９、仕切り壁２０、後ろ壁２２に阻まれ吸気口１６が塞がれることはない。また、外側開口部１９ｂの近傍に脚２１を配置し敷物を押さえることで、敷物が吸い上げられて外側開口部１９ｂを塞ぐのを防いでいる。このようにして仕切り壁２０の下に敷物が吸い付いて塞がれてもダクト１９の外側から外気を吸い込むことができるため、本体１１内の冷却が可能である。
【００２２】
一方、吸気口１６近傍に液体をこぼした場合には、冷却ファン１５によって液体が吸気口１６側に吸い寄せられる。しかし、吸気口１６の下方は垂直な仕切り壁２０としているため仕切り壁２０には籠体のように液体の膜が張らず、その上に吸気口１６を設けているため液体と冷却ファン１５の間隔が狭まらず本体１１内に液体を吸い込んでしまうことがない。
【００２３】
このように、本実施の形態においては、本体底面１１ａの下方で吸気口１６の前方に設けられた底面に垂直な前壁１８と、吸気口１６の後方に設けられ本体底面１１ａに垂直な後ろ壁２２と、前壁１８と後ろ壁２２との間に形成され吸気口１６の周囲に一方の開口部が臨むように形成されたダクト１９と、吸気口１６の下方に設けられ前記底面に垂直な仕切り壁２０とを有する吸気保護具１７を設けたことによって、吸気部近傍にこぼした液体が吸気口１６側に吸い寄せられても吸気口１６下方は垂直な仕切り壁２０としているため仕切り壁２０には液体の膜が張らず、仕切り壁２０の上に吸気口１６を設けているため液体と冷却ファン１５の間隔が狭まらず本体内に液体を吸い込んでしまわないようにすることができるものである。
【００２４】
（実施の形態２）
図４は、本発明の実施の形態２における誘導加熱調理器を示している。実施の形態１と同一要素については同一符号を付してその説明を省略する。
【００２５】
本実施の形態における誘導加熱調理器は、仕切り壁２０の形状を前壁１８から後方に延びて途中で分岐したＹ字形状としてある。本体１１前面に液体をこぼし液体が前方から吸気口１６の下方に流れてきた時には堰き止めず斜め後方に液体を流すことで、吸気口１６下方の液面の上昇を小さく抑えることができる。また、本体１１の後ろ側に液体をこぼし液体が後方から吸気口１６の下方に流れてきた時には吸気口側開口部１９ａ横の吸引力が強い部分への液体の流入を少なくし液面が吸気口に近づくのを防ぐことができる。
【００２６】
このように、本実施の形態においては、仕切り壁２０の形状を前壁１８から後方に延びて途中で分岐したＹ字形状としたことによって、前方あるいは後方から液体が吸気口１６下方に流れてきた時に吸気口１６下方の液面の上昇を小さく抑え液面が吸気口１６に近づくのを防ぐことができる。したがって、液体と冷却ファン１５の間隔を維持できるので、液体を本体１１内に吸い込みにくくできる。
【００２７】
（実施の形態３）
図５は、本発明の実施の形態３における誘導加熱調理器を示している。実施の形態１と同一要素については同一符号を付してその説明を省略する。
【００２８】
本実施の形態における誘導加熱調理器は、ダクト１９に吸気口側開口部１９ａと外側開口部１９ｂの間に第３の開口部１９ｃを設けてある。本体１１の下に敷いた敷物が薄いと、冷却ファン１５が回転した時に敷物が仕切り壁２０の形状に沿って吸気口１６に近づく。しかし、第３の開口部１９ｃを設けてあることで、敷物が第３の開口部１９ｃに吸い付けられ仕切り壁２０の形状に沿いにくくなる。従って、敷物が薄い場合でも吸気口１６が塞がれることがない。
【００２９】
このように、本実施の形態においては、吸気口側開口部１９ａと外側開口部１９ｂの間に第３の開口部１９ｃを設けことにより、敷物が薄い場合でも敷物が仕切り壁２０の形状に沿いにくく吸気口１６が塞がれることがない。
【産業上の利用可能性】
【００３０】
以上のように、本発明にかかる誘導加熱調理器は吸気口の下にこぼした液体と冷却ファンの間隔を保ち本体内に液体を吸い込んでしまわないようにすることができるので、本体の底面に吸気口を備える電気器具全般に適用できる。
【符号の説明】
【００３１】
１１  本体
１１ａ  本体底面
１２  トッププレート
１３  誘導加熱コイル（加熱コイル）
１５  冷却ファン
１６  吸気口
１７  吸気保護具
１８  前壁
１９  ダクト
１９ａ  吸気口側開口部（周囲に臨む開口部）
１９ｂ  外側開口部
１９ｃ  第３の開口部
２０  仕切り壁
２１  脚
２２  後ろ壁
【図１】
2011090983.tif 000003
【図２】
2011090983.tif 000004
【図３】
2011090983.tif 000005
【図４】
2011090983.tif 000006
【図５】
2011090983.tif 000007
【図６】
2011090983.tif 000008
【図７】
2011090983.tif 000009